(57)【特許請求の範囲】
【請求項１】
流体の流路を形成するハウジングと、一端側が前記流路に開口し流体の供給を受ける入力ポートと、一端側に前記流路に開口する弁口を備え流体の排出を行う出力ポート部と、弁体を備え前記弁体を駆動して前記弁口を開閉する電磁駆動部と、前記流路に設けられ異物進入を抑制するシート状フィルタ部材と、を有する電磁弁であって、
前記フィルタ部材は、前記流路の内壁に当接する外縁枠体とその内側に張られたメッシュとを備え、
前記フィルタ部材の上流側に近接して前記流路の内壁に配置され、前記外縁枠体に向かう流体を前記メッシュに向かわせる縁堰部材を有することを特徴とする電磁弁。
【請求項２】
前記フィルタ部材は、前記弁口と前記入力ポートとの間の流路に設けられる請求項１に記載の電磁弁。
【請求項３】
前記縁堰部材は前記内壁から内側に突出し、その突出高さが前記外縁枠体を構成するリムの幅より高い請求項１または２に記載の電磁弁。
【請求項４】
前記縁堰部材は前記流路の内壁に沿って流れる流体を前記内壁から離間させる斜面を有する請求項１〜３のいずれか１項に記載の電磁弁。
【請求項５】
前記ハウジングは上部が開口する有底の容器であり、前記出力ポート部は前記上部の開口を覆って前記流路を形成するフランジを備え、前記縁堰部材は前記フランジの内面に設けられる請求項１〜４のいずれか１項に記載の電磁弁。
【発明の詳細な説明】
【技術分野】
【０００１】
この発明は、流体流路の開閉を行う電磁弁に関し、流路への異物進入を抑制する技術に関する。
【背景技術】
【０００２】
たとえば、燃料タンクから発生する蒸発ガスのエンジン吸気管への供給を制御するための電磁弁の場合、異物の進入を抑制するために電磁弁の流路中にフィルタが装着されている（例えば、特許文献１参照。）。
【０００３】
従来の電磁弁の場合、図７、８に示すように、弁口１０３ａと入力ポート１０２の間の流路に外縁枠体６０ａとメッシュ６０ｂとからなるフィルタ部材６０が取り付けられている。
【０００４】
図７において、１０１は、負圧が印加される入力ポート１０２、出力ポート部１０３が設けられた樹脂製のハウジングである。１０４は、電磁コイル１０４aを内在させた円筒状のヨーク、１０５は、ヨーク１０４の下部に固定されたコア、１０６は、コア１０５の上部に可動支持されたプランジャー、１０７は、プランジャー１０６の上部に固定された弁体、１０８は、コア１０５に装着されたガイド１１０とプランジャー１０６との間に装着され弁体１０７を出力ポート部１０３の下端に位置する弁口１０３aに押しつけて塞ぐスプリングである。
【０００５】
フィルタ部材６０は、外縁枠体６０ａの横リムの下部に潰し代６０ｃを、縦リムの上部に係合凸部６０ｄを備えている（図５参照。）。フィルタ部材６０が取り付けられる流路Ｒの側壁には縦リムを案内するガイド片１０９ａが形成され（図４参照。）、出力ポート１０３のフランジ１０３ｂの下面には係合凸部６０ｄと係合する係合凹部１０９ｂを備えている。
【０００６】
フィルタ部材６０の組み付けは以下のように行われる。出力ポート部１０３をハウジング１０１に固着させる前に、外縁枠体６０ａの縦リムをガイド片１０９ａで案内させて横リムの下部の潰し代６０ｃをハウジング１０１の底面に当接させる。次に、出力ポート部１０３をハウジング１０１に固着させると、潰し代６０ｃが潰されてハウジング１０１の面一から出ていた横リムの上部がハウジング１０１内に収まり、係合凸部６０ｄが係合凹部１０９ｂに係合する。
【先行技術文献】
【特許文献】
【０００７】
【特許文献１】特開２００８−２９１９１６号公報
【発明の概要】
【発明が解決しようとする課題】
【０００８】
上記のように、従来の電磁弁は、フィルタ部材６０の外縁枠体６０ａの横リムがハウジング１０１の底面と出力ポート１０３のフランジ１０３ｂの下面とで挟持され、縦リムが流路側壁のガイド片１０９ａで案内されているだけであるので、入力ポート１０２から入った異物がフィルタ部材６０の外縁枠体６０ａと流路の内壁との間の隙間を通って弁口１０３ａに進入することがある。
【０００９】
本発明は、上記従来の電磁弁の問題に鑑みてなされたものであり、異物進入を抑制できる電磁弁を提供することを課題とする。
【課題を解決するための手段】
【００１０】
上記の課題を解決するためになされた本発明の電磁弁は、流体の流路を形成するハウジングと、一端側が前記流路に開口し流体の供給を受ける入力ポートと、一端側に前記流路に開口する弁口を備え流体の排出を行う出力ポート部と、弁体を備え前記弁体を駆動して前記弁口を開閉する電磁駆動部と、前記流路に設けられ異物進入を抑制するシート状フィルタ部材と、を有し、前記フィルタ部材は、前記流路の内壁に当接する外縁枠体とその内側に張られたメッシュとを備え、前記フィルタ部材の上流側に近接して前記流路の内壁に配置され、前記外縁枠体に向かう流体を前記メッシュに向かわせる縁堰部材を有することを特徴とする。
【００１１】
フィルタ部材の外縁枠体に向かう流体をメッシュに向かわせる縁堰部材を有しているので、異物が外縁枠体と流路の内壁との間の隙間を通って進入することが抑制される。
【００１２】
上記の電磁弁において、前記フィルタ部材は、前記弁口と前記入力ポートとの間の流路に設けられるとよい。
【００１３】
弁口の前で異物が濾過されるので、異物による弁口と弁体の開閉不良を抑制することができる。
【００１４】
また、前記縁堰部材は前記内壁から内側に突出し、その突出高さが前記外縁枠体を構成するリムの幅より高いものとするとよい。
【００１５】
外縁枠体に向かう流体が確実に阻止されるので異物が外縁枠体と流路の内壁との間の隙間を通って進入することが確実に抑制される。
【００１６】
また、前記縁堰部材は前記入力ポート側から前記弁口側に傾斜する斜面を有するとよい。
【００１７】
外縁枠体に向かう流体が斜面に沿って流れてメッシュに向かうので、異物が外縁枠体と流路の内壁との間の隙間を通って進入することが確実に抑制される。
【００１８】
また、前記ハウジングは上部が開口する有底の容器であり、前記出力ポート部は前記上部の開口を覆って前記流路を形成するフランジを備え、前記縁堰部材は前記フランジの内面に設けられるものとするとよい。
【００１９】
ハウジングは上部が開口する有底の容器であり、出力ポート部は前記上部の開口を覆って前記流路を形成するフランジを備えていると、フィルタ部材の外縁枠体とフランジ下面との間の隙間から異物が進入しやすい。異物が進入しやすいフランジの内面に縁堰部材が設けられているので、異物の進入を効果的に抑制することができる。
【発明の効果】
【００２０】
フィルタ部材の外縁枠体に向かう流体をメッシュに向かわせる縁堰部材を有しているので、異物が外縁枠体と流路の内壁との間の隙間を通って進入することが抑制される。
【図面の簡単な説明】
【００２１】
【図１】実施形態１に係る電磁弁の上面視図である。
【図２】図１のＡ−Ａ線断面図である。
【図３】出力ポート部１０３の下面視図（ａ）と側方視図（ｂ）である。
【図４】図１に示す実施形態１に係る電磁弁の出力ポート部１０３を取り外した状態の上面視図である。
【図５】図１に示す実施形態１に係る電磁弁のフィルタ部材１０８の斜視図である。
【図６】実施形態２に係る電磁弁の断面図である。
【図７】従来の電磁弁の断面図である。
【図８】図７に示す従来の電磁弁の出力ポート部の下面視図（ａ）と側方視図（ｂ）である。
【発明を実施するための形態】
【００２２】
本発明の実施形態を図面を参照して説明する。
【００２３】
（実施形態１）
本実施形態の電磁弁は、図１〜図５に示すように、流体の流路Ｒを形成するハウジング１０１と、一端側が流路Ｒに開口し流体の供給を受ける入力ポート１０２と、一端側に流路Ｒに開口する弁口１０３aを備え且つハウジング１０１の上部開口を覆うフランジ１０３ｂを備える出力ポート部１０３と、弁体１０７を備え弁体１０７を駆動して弁口１０３aを開閉する電磁駆動部１２０と、を有している。
【００２４】
弁口１０３ａと入力ポート１０２の間の流路Ｒに図５に示す外縁枠体６０ａとその内側に張られたメッシュ６０ｂとからなるフィルタ部材６０が取り付けられている。
【００２５】
フィルタ部材６０は、外縁枠体６０ａの下横リムの下部に潰し代６０ｃを、縦リムの上部に係合凸部６０ｄを備えている。フィルタ部材６０が取り付けられる流路Ｒの側壁には縦リムを案内するガイド片１０９ａが形成されている（図４参照。）。出力ポート１０３のフランジ１０３ｂの下面には図３に示すように、点線で示すフィルタ部材６０の係合凸部６０ｄと係合する係合凹部１０９ｂと、フィルタ部材６０の上流側に近接して配置される縁堰部材５０と、を備えている。
【００２６】
縁堰部材５０は、フランジ１０３ｂの下面に沿って流れる流体を前記下面から離間させる斜面５０ａを備えている。また、縁堰部材５０は前記下面から下方に突出し、その突出高さは、外縁枠体６０ａを構成する上横リムの幅より高い。
【００２７】
電磁駆動部１２０は、コイル１０４ａを内在させた円筒状のヨーク１０４と、ヨーク１０４の下部に固定されたコア１０５と、コア１０５の上部に可動支持されたプランジャー１０６と、プランジャー１０６の上部に固定された弁体１０７と、コア１０５に装着されたガイド１１０とプランジャー１０６との間に装着され弁体１０７を上方に付勢するスプリング１０８と、を有している。
【００２８】
次に、動作について説明する。まず、図示しない外部の電源からコイル１０４ａが通電されていない場合は、プランジャー１０６の弁体１０７は、スプリング１０８の付勢力によって弁口１０３aに押し付けられ、入力ポート１０２と出力ポート部１０３の弁口１０３ａの連通を閉じている。
【００２９】
次に、外部の電源からコイル１０４ａが通電されると、コイル１０４ａに磁界が発生し、コア１０５とプランジャー１０６とが引きつけ合う力が発生する。そのため、プランジャー１０６は、スプリング１０８の付勢力に抗して下方に移動する。すると、弁体１０７は、弁口１０３ａから離れ、入力ポート１０２から供給される流体がフィルタ部材６０を通り出力ポート部１０３から排出される。
【００３０】
入力ポート１０２から供給される流体のうちフランジ１０３ｂに当接する外縁枠体６０ａに向かう流体は、縁堰部材５０の斜面５０ａに案内されてメッシュ６０ｂに向かって流れる。したがって、外縁枠体６０ａとフランジ１０３ｂの下面との間の隙間を通って異物がフィルタ部材６０の下流側に流れることが抑制される。
【００３１】
縁堰部材５０のフランジ１０３ｂ下面から下方への突出高さが外縁枠体６０ａを構成する上横リムの幅より高いので、縁堰部材５０の斜面５０ａの反対側に回り込んで外縁枠体６０ａとフランジ１０３ｂの下面との間の隙間に流れ込む流体は殆どなく、異物がフィルタ部材６０の下流側に漏れ出すことが殆どなくなる。
【００３２】
（実施形態２）
本実施形態の電磁弁は、縁堰部材をハウジングの底面に取り付けた以外は実施形態１の電磁弁と同じである。同じ構成要素には同一の符号を付し、説明を省略する。
【００３３】
ハウジング１０１の底面には図６に示すように、フィルタ部材６０の上流側に近接して配置される縁堰部材５０Ａが固定されている。
【００３４】
縁堰部材５０Ａは、外縁枠体６０ａの下横リムの方向に流れる流体をメッシュ６０ａの方向に向かわせる斜面５０Ａａを備えている。また、縁堰部材５０Ａはハウジング１０１の底面から上方に突出し、その突出高さは、外縁枠体６０ａを構成する下横リムの幅より高い。
【００３５】
ハウジング１０１の底面にフィルタ部材６０の上流側に近接して縁堰部材５０Ａが配置されているので、潰し代６０ｃを潰してハウジング１０１の底面と接しているフィルタ部材６０の外縁枠体６０ａとハウジング１０１の底面との間の隙間を通って異物がフィルタ部材６０の下流側に流れることが抑制される。
【００３６】
上記の実施形態１では、縁堰部材５０をフランジ１０３ｂの下面に設け、実施形態２では、縁堰部材５０Ａをハウジング１０１の底面に設けたが、実施形態１と実施形態２とを組み合わせても良い。縁堰部材５０と縁堰部材５０Ａの両方を備えることで、どちらか一方を備える電磁弁より異物進入を阻止する能力が向上する。
【００３７】
縁堰部材５０と縁堰部材５０Ａの両方を備え、さらにハウジング１０１の流路Ｒの側壁に外縁枠体６０ａの縦リム方向に流れる流体をメッシュ６０ｂ方向に向かわせる縁堰部材を備える電磁弁が更に望ましい。
【符号の説明】
【００３８】
５０、５０Ａ・・・・・・縁堰部材
５０ａ、５０Ａａ・・・斜面
６０・・・・・・・・・・フィルタ部材
６０ａ・・・・・・・・外縁枠体
６０ｂ・・・・・・・・メッシュ
１０１・・・・・・・・・ハウジング
１０２・・・・・・・・・入力ポート
１０３・・・・・・・・・出力ポート部
１０３ａ・・・・・・・弁口
１０３ｂ・・・・・・・フランジ
１２０・・・・・・・・・電磁駆動部
Ｒ・・・・・・・・・・・流路
【図１】
0005779024.tif 000002
【図２】
0005779024.tif 000003
【図３】
0005779024.tif 000004
【図４】
0005779024.tif 000005
【図５】
0005779024.tif 000006
【図６】
0005779024.tif 000007
【図７】
0005779024.tif 000008
【図８】
0005779024.tif 000009